【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
果実ノートを含む一以上の材料を重量で少なくとも1％、及び琥珀ノートを含む少なくとも一つの材料を重量で少なくとも0.5％含み、以下のグループＡ及び/又はグループＢから選択される香料組成物であり、前記組成物中の琥珀ノートを含む材料と果実ノートを含む材料の合計は、もしグループＢの琥珀材料が存在しない場合は、重量で少なくとも約3％であり、またはグループＡの琥珀材料が存在しない場合は、重量で少なくとも約２５％であり、及びグループＡとグループＢの各々の材料が少なくとも0.1％w/w量存在し、琥珀材料と果実材料の合計が重量で少なくとも3％であり、グループＡの全重量％、WA
は0.5％以上あり、又はWAが0.5％未満の場合、琥珀及び果実材料の合計は重量で少なくとも3+22*(0.5−WA)%であり、；グループＡは1-(2,3,8,8-テトラメチル-1,2,3,4,5,6,7,8-オクタヒドロナフタレン-2-yl)エタノン
（1-(2,3,8,8-tetramethyl-1,2,3,4,5,6,7,8-octahydronaphthalen-2-yl)
ethanone）の臭い閾値よりも低い臭い閾値を持つ琥珀ノートを持つ材料を含み、グループＢは1-(2,3,8,8-テトラメチル-1,2,3,4,5,6,7,8-オクタヒドロナフタレン-2-yl)エタノン
（1-(2,3,8,8-tetramethyl-1 ,2,3,4,5,6,7,8-octahydronaphthalen-2-yl)ethanone）の臭い閾値と等しい、又は高い閾値を持つ琥珀ノートを持つ材料を含み；及び、また組成物中の琥珀ノートを持つ材料と果実ノートを持つ材料の重量比率が約1：30から30：1である、
前記香料組成物。
【請求項２】
琥珀ノートを持つ少なくとも一つの芳香材料が、以下の化合物よりなるグループから選択される請求項1に記載の組成物；
1-(2,3,8,8-テトラメチル-1,2,3,4,5,6,7,8-オクタヒドロナフタレン-2-yl)エタノン
(1-(2,3,8,8-tetramethyl-1,2,3,4,5,6,7,8-octahydronaphthalen-2-yl)ethanone)
2-メトオキシエトオキシシクロドデカン
(2-Methoxyethoxycyclododecane)
2-(2,4-ジメチルシクロヘキサ-3-en-1-yl)-5-メチル-5- (1-メチルプロピル)-1,3-ジオキサン
(2-(2,4-dimethylcyclohex-3-en-1-yl)-5-methyl-5-(1-methylpropyl)-1,3-dioxane),
3a,6,6,9a-テトラメチルドデカヒドロナフト[2,1-{b}]フラン
(3a,6,6,9a-tetramethyldodecahydronaphtho[2,1-{b}]furan)、
1-[2-(1,1-ジメチルエチル)シクロヘキシルオキシ]ブタン-2-ol
(1-[2-(1,1-dimethylethyl)cyclohexyloxy]butan-2-ol )、
5,5,8,13-テトラメチル-14,16-ジオキサテトラシクロ[11.2.1.01,10.04,9]ヘキサデカン
(5,5,8,13-tetramethyl-14,16-dioxatetracyclo[11.2.1. 01,10.04,9]hexadecane
)、
3a-エチル-6,6,9a-トリメチルドデカヒドロナフト[2,1-{b}]フラン
(3a-Ethyl-6,6,9a-trimethyldodecahydronaphtho[2,1-{b}]furan)、
2-シクロドデシル-プロパン-1-ol
(2-(cyclododecyl)-propan-1-ol )
メチル2,6,10-トリメチル-2,5,9 シクロドデカトリン-1-yl ケトン
(Methyl 2,6,10-trimethyl-2,5,9 cyclododecatriene-1-yl ketone)
1-(2,2,6-トリメチルシクロヘキシル)-3ヘキサノール
(1-(2,2,6-trimethylcyclohexyl)-3 hexanol) 
2,6,6,8-テトラメチル-8-(メチルオキシ)トリシクロ[5.3.1.01,5]アンデカン
（2,6,6,8-tetramethyl-8-(methyloxy)tricyclo[5.3.1.01,5]undecane）、
1,5,7-トリメチル-13-オキサビシクロ[10.1.0]トリデカ-4,8-ジエン
(1,5,7-trimethyl-13-oxabicyclo[10.1.0]trideca-4,8-diene)、
{[(エチロオキシ)メチル]オキシ}シクロドデカン
({[(ethyloxy)methyl]oxy}cyclododecane) 、及び
2,4-ジメチル-2-(1,1,4,4-テトラメチルテロラリン-6-yl)-1 ,3-ジオキソラン
(2,4-dimethyl-2-(1,1,4,4- tetramethyltetralin-6-yl)-1 ,3-dioxolane)。
【請求項３】
果実ノートを持つ少なくとも一つの芳香材料が、以下のものよりなるグループから選択される請求項1又は２に記載の組成物；
ジイソブチル カルビニル酢酸
(Di-isobutyl carbinyl acetate)、
アリル シクロヘキシル プロピオン酸
（Allyl Cyclohexyl Propionate）
フェニルエチリル イソアミル エーテル
(Phenylethyl isoamyl ether)、
(2E)-1-(2,2,6-トリメチルシクロヘキサ-3-en-1-yl)but-2-en-1-one
((2E)-1-(2,2,6-trimethylcyclohex-3-en-1-yl)but-2-en-1-one)
ジメチル ベンジル カルビニル酢酸
(Dimethyl benzyl carbinyl acetate)
エチル 2,6,6-トリメチルシクロヘクサ-1,3-ジエン-1-カルボキシレート
(Ethyl 2,6,6-trimethylcyclohexa-1,3-diene-1-carboxylate)、
トリシクロ[5.2.1.02,6]dec-4-en-δ-ylプロピオン酸
(Tricyclo[5.2.1.02,6]dec-4-en-δ-yl propanoate)
δ-デカラクトン
(δ-Decalactone)
γ-デカラクトン
(γ-Decalactone)
2-(1,1-ジメチルエチル)シクロヘキシル 酢酸
(2-(1,1-dimethylethyl)cyclohexyl acetate)、
γ-ドデカラクトン
(γ−Dodecalactone) 
δ-ドデカラクトン
(δ-Dodecalactone) 
γ-アンデカラクトン
(γ-Undecalactone) 
δ-アンデカラクトン
(δ−Undecalactone) 
エチル トリシクロ[5.2.1.02,6]デカン-２-カルボン酸
(Ethyl tricyclo[5.2.1.02,6]decane-2-carboxylate)、
2-メチルデカンニトリル
(2-Methyldecanenitrile) 
トリリシクロ[5.2.1.02,6]dec-4-en-8-yl イソ酪酸エステル
(Tricyclo[5.2.1.02,6] dec-4-en-8-yl isobutyrate)、 
トリシクロ[5.2.1.02,6]dec-4-en-8-yl 酢酸
(Tricyclo[5.2.1.02,6] dec-4-en-8-yl acetate)、 
2-エチル-N-メチル-N-(3-メチルフェニール)ブタンアミド
（2-Ethyl-N-methyl-N-(3-methylphenyl)butanamide）、 
2-ヘキシルシクロペンタノン
(2-Hexylcyclopentanone)、
2,4,4,7-トリメチル-6,8-ノナジエノン オキシム
(2,4,4,7-Trimethyl-6,8-nonadienone oxime),、
2-[2-(4-メチルシクロヘキサ-3-en-1-yl) プロピル]シクロペンタノン
(2-[2-(4-methylcyclohex-3-en-1-yl)propyl]cyclopentanone)、
2,7-ジメチル-10-(1−メチルエチル)-1−オキサスピロ [4.5]デカ-3,6-ジエン、
（2,7-dimethyl-10-(1 -methylethyl)-1 -oxaspiro[4.5]deca-3,6-diene）及び
トリシクロ[5.2.1.02,6] dec-3-en-8-yl 2,2-ジメチルプロピオン酸、
（tricyclo[5.2.1.02,6] dec-3-en-8-yl 2,2-dimethylpropanoate）。
【請求項４】
琥珀ノートを持つ一以上の材料を重量で少なくとも8％、果実ノートを持つ少なくとも二つの材料を重量で少なくとも１０％含む請求項1乃至３のいずれか1項に記載の組成物。
【請求項５】
請求項1乃至４のいずれか1項に記載の組成物を含む消費者用製品。
【請求項６】
悪臭を低減又は防ぐための請求項1乃至５のいずれか1項に記載の組成物、又は製品の使用方法。
【請求項７】
洗浄システムで洗濯した後繊維の悪臭を低減させる組成物の効果を試験する方法であって、試験用の組成物を含む清浄システムで試験用繊維を洗濯すること、悪臭の低減を評価すること、及びその結果を、試験用の組成物を使用しないコントロール清浄システムで洗濯することにより得られる結果と比較することを含み、前記の洗濯は追加の汚れの存在下で清浄システムでの推奨投与量より少ない投与量を用いて実施される前記試験方法。